(57)【要約】      （修正有）【課題】製造コストを下げることができ、且つ、構造を簡略化することができるマッサージ器を提供する。【解決手段】１つの主座体10と２つの主動部11と２つの副動部12と２つのピニオンギヤ13と２つのマッサージアセンブリ20と１つの制限架30と１つの軌道40とを含み、１つの双向伝動ロッド50と１つのチェーン60が１つの駆動モーター71を具備するフレーム体70上に設置され、主座体10は主動部11がチェーン60に連動され、副動部12が主動部11に連動して、副動部12に連結されるマッサージアセンブリ20をスウィングさせ、マッサージアセンブリ20は制限架30と軌道40により一端が高くなるよう固定され、又、予設範囲内をスウィングしてマッサージを行なう。【選択図】図１
0003110094.tif 000002
【実用新案登録請求の範囲】
【請求項１】
１つの主座体(10)と２つの主動部(11)と２つの副動部(12)と２つのピニオンギヤ(13)と２つのマッサージアセンブリ(20)と１つの制限架(30)と１つの軌道(40)とを含み、
１つの双向伝動ロッド(50)と１つのチェーン(60)が１つの駆動モーター(71)を具備するフレーム体(70)上に設置され、
主座体(10)は双向伝動ロッド(50)上に設置され、双向伝動ロッド(50)が回転する時、往復移動することができ、双向伝動ロッド(50)はフレーム体(70)の駆動モーター(71)により駆動され、
又、主座体(10)両側に１つの主動部(11)がそれぞれベヤリング枢軸設置され、主動部(11)の下段は主動ギヤ(102)であり、その内１つは上段にベベルギヤ(103)を有し、
又、主座体(10)上部両側にそれぞれ１つの副動部(12)が１つの偏心ロッド(122)を軸としベヤリング枢軸設置され、その内１つの副動部(12)にベベルギヤ(121)が設置され、ベベルギヤ(121)は主動部(11)のベベルギヤ(103)と連動され、上記２つの副動部(12)は相互に連動し、且つ、同歩調動作をし、
主動部(11)の１つの側に１つのピニオンギヤ(13)が設置され、
チェーン(60)はフレーム体(70)の駆動モーター(71)により駆動され、主座体(10)と連動するようフレーム体(70)上に設置され、且つ、ピニオンギヤ(13)に圧迫されることにより、主動ギヤ(102)に密着でき、
２つのマッサージアセンブリ(20)は上方にそれぞれマッサージローラー(21)を有し、中段下方に固定枢軸孔(22)を有し、且つ、１つの側に万能角度の滑動枢軸孔(23)を有し、固定枢軸孔(22)は副動部(12)の偏心ロッド(122)に固定設置され、滑動枢軸孔(23)は制限架(30)に組み合わせ設置され、
制限架(30)は両段に枢軸ロッド(31)を有し、中段に軌道(40)を貫通させることができる１つの貫通孔(32)を有し、枢軸ロッド(31)の両端はそれぞれマッサージアセンブリ(20)の滑動枢軸孔(23)を貫通し、
軌道(40)両端がフレーム体(70)上に設置され、軌道(40)と制限架(30)によりマッサージアセンブリ(20)は一端が高くなった状態になり、且つ、固定枢軸孔(22)を中心軸芯とし、滑動枢軸孔(23)を横向き軸芯とし、適当にスウィング動作を行なうことができ、
駆動モーター(71)はチェーン(60)のみを独立作動或はチェーン(60)と双向伝動ロッド(50)とを一緒に作動させることができ、チェーン(60)は主動ギヤ(102)を回転させることができ、主動ギヤ(102)上に連結するベベルギヤ(103)は副動部(12)のベベルギヤ(121)を回転させ、ベベルギヤ(121)に連結される両側の偏心ロッド(122)は回転スウィングし、偏心ロッド(122)上に設置されるマッサージアセンブリ(20)は偏心ロッド(122)を軸心として扇状スウィングし、同時にマッサージアセンブリ(20)は制限架(30)と軌道(40)により一端が高くなった状態で設置されるとともに、軌道(40)に沿って上下移動でき、扇状スウィング動作を行なう時、滑動枢軸孔(23)と枢軸ロッド(31)により予設範囲内の動作を行なうことができることを特徴とするマッサージ器。
【請求項２】
主座体(10)は底部にローラー(101)を有することを特徴とする請求項１記載のマッサージ器。
【請求項３】
制限架(30)と軌道(40)とを設置しない構造でもよく、替わりに１つの自走架(300)を設置することもでき、自走架(300)は枢軸ロッド(310)と支脚(320)と輪体(330)とを有し、枢軸ロッド(310)の両端はマッサージアセンブリ(20)の滑動枢軸孔(23)を貫通し、支脚(320)は枢軸ロッド(310)の両端に下方向に設置され、支脚(320)とフレーム体(70)とが接触する所に輪体(330)が設置され、フレーム体(70)の輪体(330)に相対する所に軌道槽(72)を設ける構造により自走架(300)によりマッサージアセンブリ(20)は一端が高くなった状態を保持ながら上下移動することができ、制限架(30)及び軌道(40)の機能と同等の機能を達成することができることを特徴とする請求項１記載のマッサージ器。
【請求項４】
制限架(30)と軌道(40)とを設置しない構造でもよく、替わりに１つの横ロッド(3000)を設置することもでき、横ロッド(3000)の両端はマッサージアセンブリ(20)の滑動枢軸孔(23)を貫通し、更に横ロッド(3000)両端にそれぞれ１つの輪体(3100)を設置し、フレーム体(70)の輪体(3100)に相対する所に軌道槽(720)を設ける構造により横ロッド(3000)によりマッサージアセンブリ(20)は一端が高くなった状態を保持ながら上下移動することができ、制限架(30)及び軌道(40)の機能と同等の機能を達成することができることを特徴とする請求項１記載のマッサージ器。
【考案の詳細な説明】
【技術分野】
【０００１】
本考案は一種のマッサージ器の構造の改良で、特に、左右偏心扇状のマッサージ動作を行なうマッサージ器に応用するものであり、１つの動力のみでマッサージ動作及び往復移動を達成することができるマッサージ器に関する。
【背景技術】
【０００２】
従来のマッサージ器はマッサージ動作の動力と往復移動の動力とが別々に独立し提供される構造であり、フレーム体に伝動ロッド及びチェーンが設置され、１つのモーターと伝動ロッドとが連結され、マッサージ装置が伝動ロッド上に設置されることにより、マッサージ装置は上下往復移動を行なうことができ、マッサージ装置の１つの側に２つ目のモーターが設置され、２つ目のモーターとマッサージ装置のマッサージロッドとが連結されることにより、マッサージ動作を行なうことができるが、２つの動力を使用しなければならないという構造上の問題がある。
【０００３】
従って、伝動構造及び来源の改良により製造コストを下げ、構造を簡略化することができる上記問題を解決した構造の一種のマッサージ器を開発するかが、関係業界では開発目標となっている。
【０００４】
本考案人は上記課題に取り組み、関係する製品の開発及び設計に従事し、上記の目標に焦点をしぼり、研究を行ない、設計もより精密になり、試験と評価を繰り返し、ついに実用性のある本考案が完成した。
【考案の開示】
【考案が解決しようとする課題】
【０００５】
主に従来のマッサージ器は、２つ以上のモーターの動力を使用することにより、移動及び左右偏心扇状のマッサージ動作を行なう為、マッサージ器の構造の体積が大きくなるという問題を解決することにある。
【課題を解決するための手段】
【０００６】
主に一種のマッサージ器の構造の改良で、１つの主座体(10)と２つの主動部(11)と２つの副動部(12)と２つのピニオンギヤ(13)と２つのマッサージアセンブリ(20)と１つの制限架(30)と１つの軌道(40)とを含み、
１つの双向伝動ロッド(50)と１つのチェーン(60)が１つの駆動モーター(71)を具備するフレーム体(70)上に設置され、
主座体(10)は主動部(11)がチェーン(60)に連動され、副動部(12)が主動部(11)に連動されることにより、副動部(12)に連結されるマッサージアセンブリ(20)をスウィングさせることができ、
マッサージアセンブリ(20)は制限架(30)と軌道(40)により一端が高くなるよう固定され、又、予設範囲内をスウィングすることにより、マッサージを行なうことができ、
上記構造によりマッサージアセンブリ(20)は専用の動力を使用せず、双向伝動ロッド(50)に連動する動力を共有することにより、製造コストを下げることができ、且つ、構造を簡略化することができる。
【考案の効果】
【０００７】
１．マッサージアセンブリ(20)は専用の動力を使用せず、双向伝動ロッド(50)に連動する動力を共有することにより、本来の使用効果を損なうことなく、製造コストを下げることができ、且つ、構造を簡略化することができる。
２．２つのマッサージアセンブリ(20)の間に制限架(30)が設置され、１つの軌道(40)により制限架(30)を定位の高さに設置することにより、マッサージアセンブリ(20)は予設のマッサージ動作を行なうことができ、且つ、使用者に充分な強さとスムーズさを感じさせることができる。
【考案を実施するための最良の形態】
【０００８】
本考案の構造の特徴及びその効果を以下に実施例とそれに合わせた図式及び詳細な説明を列挙し、本考案の長所を詳述する。
【０００９】
図１、２、３が示す如く、１つの主座体(10)と２つの主動部(11)と２つの副動部(12)と２つのピニオンギヤ(13)と２つのマッサージアセンブリ(20)と１つの制限架(30)と１つの軌道(40)とを含み、
１つの双向伝動ロッド(50)と１つのチェーン(60)が１つの駆動モーター(71)を具備するフレーム体(70)上に設置され、
主座体(10)は双向伝動ロッド(50)上に設置され、双向伝動ロッド(50)が回転する時、往復移動することができ、双向伝動ロッド(50)はフレーム体(70)の駆動モーター(71)により駆動され、主座体(10)は底部にローラー(101)を有することにより、移動時の抵抗力を減少させることができ、
又、主座体(10)両側に１つの主動部(11)がそれぞれベヤリング枢軸設置され、主動部(11)の下段は主動ギヤ(102)であり、その内１つは上段にベベルギヤ(103)を有し、
又、主座体(10)上部両側にそれぞれ１つの副動部(12)が１つの偏心ロッド(122)を軸としベヤリング枢軸設置され、その内１つの副動部(12)にベベルギヤ(121)が設置され、ベベルギヤ(121)は主動部(11)のベベルギヤ(103)と連動され、上記２つの副動部(12)は相互に連動し、且つ、同歩調動作をし、
主動部(11)の１つの側に１つのピニオンギヤ(13)が設置され、
チェーン(60)はフレーム体(70)の駆動モーター(71)により駆動され、主座体(10)と連動するようフレーム体(70)上に設置され、且つ、ピニオンギヤ(13)に圧迫されることにより、主動ギヤ(102)に密着できる。
【００１０】
２つのマッサージアセンブリ(20)は上方にそれぞれマッサージローラー(21)を有し、中段下方に固定枢軸孔(22)を有し、且つ、１つの側に万能角度の滑動枢軸孔(23)を有し、固定枢軸孔(22)は副動部(12)の偏心ロッド(122)に固定設置され、滑動枢軸孔(23)は制限架(30)に組み合わせ設置される。
【００１１】
制限架(30)は両段に枢軸ロッド(31)を有し、中段に軌道(40)を貫通させることができる１つの貫通孔(32)を有し、枢軸ロッド(31)の両端はそれぞれマッサージアセンブリ(20)の滑動枢軸孔(23)を貫通する。
【００１２】
軌道(40)両端がフレーム体(70)上に設置され、軌道(40)と制限架(30)によりマッサージアセンブリ(20)は一端が高くなった状態になり、且つ、固定枢軸孔(22)を中心軸芯とし、滑動枢軸孔(23)を横向き軸芯とし、適当にスウィング動作を行なうことができ、
駆動モーター(71)は双向伝動ロッド(50)とチェーン(60)とを同時に、或は独立して作動させることができる。
【００１３】
図３、４、５が示す如く、駆動モーター(71)はチェーン(60)のみを独立作動或はチェーン(60)と双向伝動ロッド(50)とを一緒に作動させることができ、チェーン(60)は主動ギヤ(102)を回転させることができ、主動ギヤ(102)上に連結するベベルギヤ(103)は副動部(12)のベベルギヤ(121)を回転させ、ベベルギヤ(121)に連結される両側の偏心ロッド(122)は回転スウィングし、偏心ロッド(122)上に設置されるマッサージアセンブリ(20)は偏心ロッド(122)を軸心として扇状スウィングし、同時にマッサージアセンブリ(20)は制限架(30)と軌道(40)により一端が高くなった状態で設置されるとともに、軌道(40)に沿って上下移動でき、扇状スウィング動作を行なう時、滑動枢軸孔(23)と枢軸ロッド(31)により予設範囲内の動作を行なうことができ、マッサージアセンブリ(20)が定位マッサージを行なう時、扁楕円状往復のマッサージ動作を行なうことができ（図４）、移動式マッサージを行なう時、使用者の背部両側を蛇行状往復マッサージ動作を行なうことができる（図５）。
【００１４】
図６、７が示す如く、制限架(30)と軌道(40)とを設置しない構造でもよく、替わりに１つの自走架(300)を設置することもでき、自走架(300)は枢軸ロッド(310)と支脚(320)と輪体(330)とを有し、枢軸ロッド(310)の両端はマッサージアセンブリ(20)の滑動枢軸孔(23)を貫通し、支脚(320)は枢軸ロッド(310)の両端に下方向に設置され、支脚(320)とフレーム体(70)とが接触する所に輪体(330)が設置され、フレーム体(70)の輪体(330)に相対する所に軌道槽(72)を設ける構造により自走架(300)によりマッサージアセンブリ(20)は一端が高くなった状態を保持ながら上下移動することができ、制限架(30)及び軌道(40)の機能と同等の機能を達成することができる。
【００１５】
図８が示す如く、制限架(30)と軌道(40)とを設置しない構造でもよく、替わりに１つの横ロッド(3000)を設置することもでき、横ロッド(3000)の両端はマッサージアセンブリ(20)の滑動枢軸孔(23)を貫通し、更に横ロッド(3000)両端にそれぞれ１つの輪体(3100)を設置し、フレーム体(70)の輪体(3100)に相対する所に軌道槽(720)を設ける構造により横ロッド(3000)によりマッサージアセンブリ(20)は一端が高くなった状態を保持ながら上下移動することができ、制限架(30)及び軌道(40)の機能と同等の機能を達成することができる。
【００１６】
本考案のメリットは下記のとおりである。
１．マッサージアセンブリ(20)は専用の動力を使用せず、双向伝動ロッド(50)に連動する動力を共有することにより、本来の使用効果を損なうことなく、製造コストを下げることができ、且つ、構造を簡略化することができる。
２．２つのマッサージアセンブリ(20)の間に制限架(30)が設置され、１つの軌道(40)により制限架(30)を定位の高さに設置することにより、マッサージアセンブリ(20)は予設のマッサージ動作を行なうことができ、且つ、使用者に充分な強さとスムーズさを感じさせることができる。
【００１７】
上記は本考案の考案実施例について本創作の技術及び特徴を具体に説明するもので、そして熟知した技術者が本創作の延長線上で修正作業を行なっても本創作の権利範囲内である。
【図面の簡単な説明】
【００１８】
【図１】本考案の組み合わせをフレーム体(70)に使用した状態参考図である。
【図２】本考案の分解立体図である。
【図３】本考案の組み合わせ平面図である。
【図４】本考案の定位マッサージの作動図である。
【図５】本考案の移動式マッサージの作動図である。
【図６】本考案のもう１つの実施例の分解立体図である。
【図７】本考案のもう１つの実施例の組み合わせ立体図である。
【図８】本考案のもう１つの実施例の組み合わせ立体図である。
【符号の説明】
【００１９】
10       主座体
101      ローラー
102      主動ギヤ
103      ベベルギヤ
11       主動部
12       副動部
121      ベベルギヤ
122      偏心ロッド
13       ピニオンギヤ
20       マッサージアセンブリ
21       マッサージローラー
22       固定枢軸孔
23       滑動枢軸孔
30       制限架
31       枢軸ロッド
32       貫通孔
300      自走架
310      枢軸ロッド
320      支脚
330      輪体
3000     横ロッド
3100     輪体
40       軌道
50       双向伝動ロッド
60       チェーン
70       フレーム体
71       駆動モーター
72       軌道槽
720      軌道槽
【図１】
0003110094.tif 000003
【図２】
0003110094.tif 000004
【図３】
0003110094.tif 000005
【図４】
0003110094.tif 000006
【図５】
0003110094.tif 000007
【図６】
0003110094.tif 000008
【図７】
0003110094.tif 000009
【図８】
0003110094.tif 000010